(57)【要約】【課題】ホワイトバランスブラケット、ＲＡＷ＋ＪＰＥＧなど、画像処理等で複数の画像を作成することが可能なデジタルスチルカメラにおいて、元となる画像と画像処理条件等を記録することを特徴とし、これにより保存スペースと保存時間の短縮が可能となる。さらに、記録メディアの容量不足の時は、新しいメディアを入れたら、記録した元となる画像と画像処理条件から、規定の枚数を記録することを特徴とする。【解決手段】  画像処理条件を変えることにより、ひとつの撮影画像から複数の画像を生成・記録可能なデジタルスチルカメラにおいて、撮影画像と画像処理条件と記録条件を記録媒体に記録する画像記録方法を備えることを特徴とするデジタルスチルカメラ。【選択図】        図１
2006148537.tif 000002
【特許請求の範囲】
【請求項１】
画像処理条件を変えることにより、ひとつの撮影画像から複数の画像を生成・記録可能なデジタルスチルカメラにおいて、撮影画像と画像処理条件と記録条件を記録媒体に記録する画像記録方法を備えることを特徴とするデジタルスチルカメラ。
【請求項２】
請求項１に記載のデジタルスチルカメラにおいて、サムネイルは、撮影直後に指定枚数分指定された条件で画像を生成し、記録媒体に記録する画像記録方法を特徴とするデジタルスチルカメラ。
【請求項３】
請求項１に記載のデジタルスチルカメラにおいて、記録媒体の容量不足の時は、元の撮影画像と画像処理・記録条件等だけを記録しておき、新しい記録媒体を挿入した時に、記録された元の撮影画像と画像処理・記録条件にしたがって、複数の画像を記録することを特徴とするデジタルスチルカメラ。
【発明の詳細な説明】
【技術分野】
【０００１】
本発明は、デジタルカメラなどの画像生成装置に複数画像を記録する方法に係るデジタルスチルカメラに関するものである。
【背景技術】
【０００２】
デジタルスチルカメラにより、ホワイトバランスブラケットや、ＲＡＷ＋ＪＰＥＧ画像の同時記録など従来の銀塩カメラにない新しい画像記録方式が生まれている。ブラケット撮影とは、撮影者が設定した撮影条件を自動的に前後に振って複数枚撮影することにより、撮影ミスを低減させようというものである。ブラケット撮影の種類として、露出を振るオートエクスポージャ・ブラケット（ＡＥＢ）やＩＳＯ感度を振るＩＳＯブラケット、色温度を振るホワイトバランスブラケット（ＷＢＢ）などがある。
【０００３】
例えば、ＡＥＢでは、撮影者が設定した露出条件を中心に、−１段の露出撮影、＋１段の露出撮影などと合わせて複数枚撮影する。ＩＳＯブラケットでは、撮影感度を振ることにより、−１段のＩＳＯ感度設定、＋１段のＩＳＯ感度設定などとあわせて複数枚撮影する。
【０００４】
ＷＢＢでは、撮影した画像データから本画像を生成する後段の画像処理（現像と呼ぶ）時の色温度設定を上下に振ることにより、複数枚の画像を生成し記録する。
【０００５】
ＡＥＢやＩＳＯブラケットは、撮影時の露出、あるいは、ＩＳＯ感度を振るために、段数を振るごとに撮影する必要があるが、ＷＢＢは、本画像生成時の色温度設定条件を振ることにより複数枚の画像を生成するので、撮影は一回でも構わない。
【０００６】
また、一回の撮影で、同一撮影データからＲＡＷ画像ファイルとＪＰＥＧ画像ファイルの２種類を生成・記録するデジタルスチルカメラが存在するが、この場合も、ＷＢＢと同様に後段の画像処理で２種類の画像を生成・記録している。
【０００７】
図８と図９に従来技術における画像ファイルの記録方法を示す。図８は、ＲＡＷ＋ＪＰＥＧの例で、撮影した画像を画像処理部でＲＡＷデータとＪＰＥＧデータに分けて記録する例である。図９は、ＷＢＢの例で、撮影した画像を画像処理部で、色温度値を指定した値だけ振って、複数のＪＰＥＧ画像として記録する例である。
【特許文献１】特開２００３−１０１８５１号公報
【発明の開示】
【発明が解決しようとする課題】
【０００８】
ところが、この方法による画像記録方法は、一枚の撮影画像を現像条件を変えて、カメラ内で複数枚現像して記録するため、必要な時点で現像すればいい画像に関しても、撮影と同時に複数枚を現像して記録するため、必要以上に記録メディアの空き領域を圧迫する、あるいは、必要以上に記録時間を費やすなどの問題がある。
【０００９】
本発明は、この点に鑑みてなされたもので、撮影した画像と現像条件のみを記録し、必要な時点で記録した現像条件から撮影画像を現像・記録するデジタルカメラを提供することにより、上記問題を解決しようというものである。
【課題を解決するための手段】
【００１０】
上記課題を解決するために、以下の特徴を備えたデジタルスチルカメラを提供する。
【００１１】
（１）画像処理条件を変えることにより、ひとつの撮影画像から複数の画像を生成・記録可能なデジタルスチルカメラにおいて、撮影画像と画像処理条件と記録条件を記録媒体に記録する画像記録方法を備えることを特徴とするデジタルスチルカメラ。
【００１２】
（２）前記（１）に記載のデジタルスチルカメラにおいて、サムネイルは、撮影直後に指定枚数分指定された条件で画像を生成し、記録媒体に記録する画像記録方法を特徴とするデジタルスチルカメラ。
【００１３】
（３）前記（１）に記載のデジタルスチルカメラにおいて、記録媒体の容量不足の時は、元の撮影画像と画像処理・記録条件等だけを記録しておき、新しい記録媒体を挿入した時に、記録された元の撮影画像と画像処理・記録条件にしたがって、複数の画像を記録することを特徴とするデジタルスチルカメラ。
【発明の効果】
【００１４】
このように、第１の発明を使用すれば、ＷＢブラケット・ＲＡＷ＋ＪＰＥＧなど、現像処理等で複数の画像を作成することが可能な場合は、元となる画像１枚と現像条件等を記録することにより、保存スペースと保存時間を短縮可能である。
【００１５】
さらに、第２の発明を使用すれば、表示用サムネイルは、複数枚生成するので、保存スペースと保存時間を短縮可能な状態で、撮影した複数の画像を確認することができる。第３の発明を使用すれば、空き容量の大きな新記録媒体を挿入することで、画像記録時の設定に従った複数画像を自動的に展開することが可能となる。
【発明を実施するための最良の形態】
【００１６】
以下、本発明のデジタルスチルカメラの画像記録方法を図面を用いて詳細に説明する。
【実施例】
【００１７】
図１は、本発明が適用されるデジタルスチルカメラの画像データの処理をつかさどる部分のブロック図である。同図において、各ブロックは機能ごとに分けられた構成要素である。１１は、ＣＣＤ（電荷結合素子）などの光学センサーを含む撮像部である。１２は、撮像部１１でキャプチャした画像を所望の画像処理を行いＪＰＥＧ画像やＲＡＷ画像に変換するための画像変換処理部である。１３は、画像処理部１２で画像処理された画像データを記憶する記録媒体で、メモリカード等のリムーバルメディアである。１４は、記録媒体検知部で、複数スロットの場合、新規記録媒体が挿入されたことを検知するためのものである。１５は、作業用メモリとマイクロコンピュータとを備えた制御／演算部である。１６は、プログラムメモリで、制御・演算部１５が実行するプログラムが書き込まれている。１７は、ワークメモリで、制御演算部１５の作業用メモリとして使用したり、画像処理部１２が撮像画像の画像処理時に使用するための作業用のメモリである。１８は、表示部で撮影した画像や記録媒体に記録された画像を表示させることが可能である。また、操作部１９用のメニュー画面としても使用することができる。１９は、操作者が、画像処理の設定を行ったり、キャプチャ指示を行ったりする操作部である。
【００１８】
第１の発明を図１と図２のブロック図と図１０のフローチャートを使用して説明する。Ｓ１において、操作部１９を使用して記録モードを設定する。Ｓ２において、操作部１９から撮影指示を行う。Ｓ３において、Ｓ２の撮影指示に基づいて、撮像部１１から撮影画像をキャプチャする。Ｓ４において、Ｓ３でキャプチャした撮影画像を画像処理部１２でＲＡＷデータに変換する。Ｓ５において、Ｓ４で変換したＲＡＷ画像データをワークメモリ１７に入れる。Ｓ７において、ＲＡＷ画像データと撮影データをワークメモリ上で結合する。Ｓ８において、ＲＡＷ＋ＪＰＥＧ形式、ＷＢＢ形式などユーザーが所望する画像記録形式の記録条件と、ＷＢＢの色温度設定ステップなどの画像生成条件を画像処理記録条件データとしてワークメモリ１７におく。Ｓ９において、Ｓ７でワークメモリ１７においたＲＡＷ画像データをＲＡＷ画像ファイルとして記録媒体に記録する。Ｓ１０において、Ｓ８でワークメモリ１７においた画像処理記録条件データを画像処理記録条件ファイルとして記録媒体に記録する。
【００１９】
第１の発明の別形態を図１と図３のブロック図と図１１のフローチャートを使用して説明する。Ｓ１からＳ８までは、図１０と同じなので説明は省略する。Ｓ１１において、Ｓ７でワークメモリ１７においたＲＡＷ画像データと、Ｓ８でワークメモリ１７においた画像処理記録条件データを結合する。Ｓ１２において、Ｓ１１で結合したＲＡＷ画像データと画像処理記録条件データを１ファイルとして記録媒体に保存する。
【００２０】
第２の発明を図１と図４のブロック図と図１２のフローチャートを使用して説明する。Ｓ１からＳ１０までは、図１０と同じなので説明は省略する。Ｓ１３において、Ｓ８でワークメモリ１７においた画像処理記録条件データに従って、サムネイル画像を作成する。Ｓ１４において、画像処理記録条件に書かれた記録条件の枚数分作成したかを判断し、枚数分作成していなければ、Ｓ１３に戻る。枚数分作成すれば、Ｓ９に進む。Ｓ１５において、Ｓ１３で作成したサムネイル画像を記録媒体に保存する。これらのサムネイル画像は、表示部１８で確認することができる。
【００２１】
図５は、図４において、ＲＡＷデータと画像処理記録条件データを別ファイルとして、記録媒体に記録したものを１ファイルとして記録した例である。詳細は、図１１と図１２のフローチャートの組合せで説明できるので省略する。
【００２２】
第３の発明を図１と図６と図７のブロック図と図１３のフローチャートを使って説明する。Ｓ１６において、記録媒体検知部１４が新記録媒体が接続されたかを検出し、接続が検出されたならばＳ１７に進む。検出されなければ、本フローチャートを終了する。Ｓ１７において、新記録媒体が新たに展開した画像を記録できるだけの空き容量があるかどうかを判断し、空き容量があれば、Ｓ１８に進む。空き容量がなければ、本フローチャートを終了する。Ｓ１８において、すでにある記録媒体に記録されているＲＡＷファイルからＲＡＷデータをワークメモリ１７に取り込む。Ｓ１９において、すでにある記録媒体に記録されている画像処理記録条件ファイルから画像処理記録条件データをワークメモリ１７に取り込む。画像処理記録条件データがＲＡＷファイルにまとめて記録されている場合は、ＲＡＷファイルから画像処理記録条件データを抽出してワークメモリ１７に取り込む。Ｓ２０において、Ｓ１８でワークメモリ１７に取り込んだＲＡＷデータを、画像処理部１２内でＳ１９においてワークメモリ１７に取り込んだ画像処理記録条件データに従って、ワークメモリ１７に展開する。図６は、ＲＡＷ＋ＪＰＥＧの例であり、図７は、ＷＢＢの例である。これらは、画像処理記録条件データによって異なった展開をする。Ｓ２１において、Ｓ２０で展開した画像データを新記録媒体に保存する。
【図面の簡単な説明】
【００２３】
【図１】本実施形におけるデジタルスチルカメラの主要な構成を説明するブロック図である。
【図２】本実施形における第１の発明を示すブロック図である。
【図３】本実施形における第１の発明の別形態を示すブロック図である。
【図４】本実施形における第２の発明を示すブロック図である。
【図５】本実施形における第２の発明の別形態を示すブロック図である。
【図６】本実施形における第３の発明を示すブロック図である。
【図７】本実施形における第３の発明の別形態を示すブロック図である。
【図８】従来例を示すブロック図である。
【図９】従来例の別の一例を示すブロック図である。
【図１０】本実施形における第１の発明を説明するフローチャートである。
【図１１】本実施形における第１の発明の別形態を説明するフローチャートである。
【図１２】本実施形における第２の発明を説明するフローチャートである。
【図１３】本実施形における第３の発明を説明するフローチャートである。
【符号の説明】
【００２４】
１１  撮像部
１２  画像処理部
１３  記録媒体
１４  記録媒体検知部
１５  制御演算部
１６  プログラムメモリ
１７  ワークメモリ
１８  表示部
１９  操作部
【図１】
2006148537.tif 000003
【図２】
2006148537.tif 000004
【図３】
2006148537.tif 000005
【図４】
2006148537.tif 000006
【図５】
2006148537.tif 000007
【図６】
2006148537.tif 000008
【図７】
2006148537.tif 000009
【図８】
2006148537.tif 000010
【図９】
2006148537.tif 000011
【図１０】
2006148537.tif 000012
【図１１】
2006148537.tif 000013
【図１２】
2006148537.tif 000014
【図１３】
2006148537.tif 000015